(57)【特許請求の範囲】
【請求項１】
表示手段と、
前記表示手段に表示されたベース画像上に、管理対象オブジェクトを示す１個または複数個のオブジェクトアイコン、及び管理対象オブジェクトに関する数値データを表示するための１個または複数個のデータアイコンをユーザー操作に基づいて貼り付けることにより、ユーザー固有のデータ管理画面を作成するデータ管理画面作成手段と、
前記管理画面作成手段により作成されたデータ管理画面が前記表示手段に表示された状態で、前記オブジェクトアイコンを指定しまたは開く操作が行われたときに、前記オブジェクトアイコンと紐付けられた情報を表示させ、かつ前記データアイコンには前記数値を表示させる表示制御手段と、
を備え、
前記オブジェクトアイコン及び／またはデータアイコンには、管理対象オブジェクトまたは管理対象オブジェクトに関する数値データに、将来的に表示させたいが現状では表示できない不確定要素が含まれていることを示すブラックボックスアイコンが含まれており、
前記表示制御手段は、前記ブラックボックスアイコンを、当該ブラックボックスアイコン以外のオブジェクトアイコン及び／またはデータアイコンとは識別可能な態様で、かつ前記ブラックボックスアイコンに将来的に表示させたい内容が表示された態様で、さらにブラックボックスアイコンを開く操作により、前記将来的に表示させたい内容に関連する事項が表示される状態で、前記ブラックボックスアイコンを前記データ管理画面に表示することを特徴とするデータ管理装置。
【請求項２】
前記データアイコンに表示される数値データは、時間経過と共に数値が変化するデータにおける最新値である請求項１に記載のデータ管理装置。
【請求項３】
前記データ管理画面は、オブジェクトアイコンとして発電装置、蓄電装置または電力計のうちの少なくともいずれかを含む配電系統画面であり、前記データアイコンは前記オブジェクトアイコンに重ねてまたはその近傍に貼り付けられ、該データアイコンには発電装置の発電量、蓄電装置の蓄電量または電力計で測定される消費電力の各最新値が表示される請求項１または２に記載のデータ管理装置。
【請求項４】
前記データ管理画面は、被加熱流体を加熱装置により加熱して熱供給を行う熱供給システムにおける前記被加熱流体の流れを示す配管系統画面であり、前記データアイコンは前記系統画面における所定部位またはその近傍に貼り付けられ、該データアイコンには前記所定部位における被加熱流体の少なくとも温度と流量の各最新値が表示される請求項１〜３のいずれかに記載のデータ管理装置。
【請求項５】
表示手段に表示されたベース画像上に、管理対象オブジェクトを示す１個または複数個のオブジェクトアイコン、及び前記ベース画像の管理対象オブジェクトの画像上またはその近傍位置に、管理対象オブジェクトに関する数値データを表示するための１個または複数個のデータアイコンをユーザー操作に基づいて貼り付けることにより、ユーザー固有のデータ管理画面を作成するデータ管理画面作成ステップと、
前記管理画面作成ステップにより作成されたデータ管理画面が前記表示手段に表示された状態で、前記オブジェクトアイコンを指定しまたは開く操作が行われたときに、前記オブジェクトアイコンと紐付けられた情報を表示させ、かつ前記データアイコンには前記数値データを表示させる表示制御ステップと、
を備え、
前記オブジェクトアイコン及び／またはデータアイコンには、管理対象オブジェクトまたは管理対象オブジェクトに関する数値データに、将来的に表示させたいが現状では表示できない不確定要素が含まれていることを示すブラックボックスアイコンが含まれており、
前記表示制御ステップでは、前記ブラックボックスアイコンを、当該ブラックボックスアイコン以外のオブジェクトアイコン及び／またはデータアイコンとは識別可能な態様で、かつ前記ブラックボックスアイコンに将来的に表示させたい内容が表示された態様で、さらにブラックボックスアイコンを開く操作により、前記将来的に表示させたい内容に関連する事項が表示される状態で、前記ブラックボックスアイコンを前記データ管理画面に表示することを特徴とするデータ管理装置におけるデータ管理方法。
【請求項６】
表示手段を備えたデータ管理装置のＣＰＵに、
前記表示手段に表示されたベース画像上に、管理対象オブジェクトを示す１個または複数個のオブジェクトアイコン、及び前記ベース画像の管理対象オブジェクトの画像上またはその近傍位置に、管理対象オブジェクトに関する数値データを表示するための１個または複数個のデータアイコンをユーザー操作に基づいて貼り付けることにより、ユーザー固有のデータ管理画面を作成するデータ管理画面作成ステップと、
前記管理画面作成ステップにより作成されたデータ管理画面が前記表示手段に表示され
た状態で、前記オブジェクトアイコンを指定しまたは開く操作が行われたときに、前記オブジェクトアイコンと紐付けられた情報を表示させ、かつ前記データアイコンには前記数値データを表示させる表示制御ステップと、
を実行させ、
前記オブジェクトアイコン及び／またはデータアイコンには、管理対象オブジェクトまたは管理対象オブジェクトに関する数値データに、将来的に表示させたいが現状では表示できない不確定要素が含まれていることを示すブラックボックスアイコンが含まれており、
前記表示制御ステップでは、前記ブラックボックスアイコンを、当該ブラックボックスアイコン以外のオブジェクトアイコン及び／またはデータアイコンとは識別可能な態様で、かつ前記ブラックボックスアイコンに将来的に表示させたい内容が表示された態様で、さらにブラックボックスアイコンを開く操作により、前記将来的に表示させたい内容に関連する事項が表示される状態で、前記ブラックボックスアイコンを前記データ管理画面に表示する処理を実行させるためのデータ管理プログラム。
【請求項７】
請求項１〜４の何れかに記載のデータ管理装置と、管理対象オブジェクトに関する数値データを測定する１個または複数個の測定装置とを備え、
前記データ管理装置はさらに、前記測定装置から出力される時間経過と共に変化する数値データについての情報を連続的にあるいは定期的に受信する受信手段と、前記受信手段により受信した数値データについての情報を記憶する記憶手段とを備え、
データ管理装置の前記表示制御手段は、前記記憶手段に記憶されている数値データに関する情報に基づいて、前記データアイコンに数値データを表示させることを特徴とするデータ管理システム。
【発明の詳細な説明】
【技術分野】
【０００１】
この発明は、ユーザーが管理対象物（管理対象オブジェクト）についてデータを管理するのに用いるデータ管理装置、同装置におけるデータ管理方法とデータ管理プログラム及びデータ管理システムに関する。
【背景技術】
【０００２】
ユーザーがパーソナルコンピュータ（以下、パソコンという）等を用いて管理対象オブジェクトのデータを管理する場合、従来より、管理データをグループ分けするとともに、覚えやすい名称を付したフォルダをグループ毎に作成し、さらに必要に応じて複数のフォルダを纏めた上位フォルダを作成し、データが発生する毎に関連するフォルダに保存していくことが行われている。
【０００３】
しかし、このようなデータ管理方法では、ユーザーが管理データを視覚的、直感的に把握するのが容易でなく、データ管理のし易さの点で問題があった。
【０００４】
特に、データが時間的に変化する複数のデータであり、これらが相互に関連しているような場合には、特にその問題が顕著になっていた。
【０００５】
なお、特許文献１には、人体マップを使用して情報を提供する技術が開示されている。具体的には、データベースに記憶された画像データに基づいて仮想人体マップを表示するとともに、当該人体マップ上の地点の、記憶された各記憶手段の座標に相応する箇所に、図表化したデータベースの広告対象物、コミュニティ掲示板タイトル、薬情報、病気情報、音響情報を表示し、これらの選択を促し、関連付けられた情報を読み出して、ユーザーの端末へ表示をする一方、情報配信者は、仮想人体マップ上の座標箇所に、相応する各情報を指定することを促し、データベースへ格納するというものである。
【先行技術文献】
【特許文献】
【０００６】
【特許文献１】特開２００９−１７６２６０号公報
【発明の概要】
【発明が解決しようとする課題】
【０００７】
しかしながら、特許文献１に記載の技術は、画面に表示された人体マップの所定の部位にポインタを当てると、その部位に関連する情報が表示されるものであるため、人体マップが表示されただけの状態では、どのような情報が保存されているのかを理解しづらい。
【０００８】
しかも、人体マップ等は情報の提供者によって提供されるため、ユーザーによる変更は困難であり、データ管理の自由度が低い。このため、ユーザーが管理データを視覚的、直感的に把握するのがやはり容易でなく、データ管理のし易さの点での問題を払拭できる技術ではなかった。
【０００９】
この発明は、このような技術的背景に鑑みてなされたものであって、ユーザーが管理対象である管理対象オブジェクトのデータを視覚的、直感的に把握できデータ管理がし易いデータ管理装置、同装置におけるデータ管理方法とデータ管理プログラム、及びデータ管理システムの提供を課題とする。
【課題を解決するための手段】
【００１０】
上記課題は、以下の手段によって解決される。
（１）表示手段と、前記表示手段に表示されたベース画像上に、管理対象オブジェクトを示す１個または複数個のオブジェクトアイコン、及び管理対象オブジェクトに関する数値データを表示するための１個または複数個のデータアイコンをユーザー操作に基づいて貼り付けることにより、ユーザー固有のデータ管理画面を作成するデータ管理画面作成手段と、前記管理画面作成手段により作成されたデータ管理画面が前記表示手段に表示された状態で、前記オブジェクトアイコンを指定しまたは開く操作が行われたときに、前記オブジェクトアイコンと紐付けられた情報を表示させ、かつ前記データアイコンには前記数値を表示させる表示制御手段と、を備えたことを特徴とするデータ管理装置。
（２）前記オブジェクトアイコン及び／またはデータアイコンには、管理対象オブジェクトまたは管理対象オブジェクトに関する数値データに不確定要素が含まれていることを示すブラックボックスアイコンが含まれている前項１に記載のデータ管理装置。
（３）前記データアイコンに表示される数値データは、時間経過と共に数値が変化するデータにおける最新値である前項１または２に記載のデータ管理装置。
（４）前記データ管理画面は、オブジェクトアイコンとして発電装置、蓄電装置または電力計のうちの少なくともいずれかを含む配電系統画面であり、前記データアイコンは前記オブジェクトアイコンに重ねてまたはその近傍に貼り付けられ、該データアイコンには発電装置の発電量、蓄電装置の蓄電量または電力計で測定される消費電力の各最新値が表示される前項１〜３のいずれかに記載のデータ管理装置。
（５）前記データ管理画面は、被加熱流体を加熱装置により加熱して熱供給を行う熱供給システムにおける前記被加熱流体の流れを示す配管系統画面であり、前記データアイコンは前記系統画面における所定部位またはその近傍に貼り付けられ、該データアイコンには前記所定部位における被加熱流体の少なくとも温度と流量の各最新値が表示される前項１〜３のいずれかに記載のデータ管理装置。
（６）表示手段に表示されたベース画像上に、管理対象オブジェクトを示す１個または複数個のオブジェクトアイコン、及び前記ベース画像の管理対象オブジェクトの画像上またはその近傍位置に、管理対象オブジェクトに関する数値データを表示するための１個または複数個のデータアイコンをユーザー操作に基づいて貼り付けることにより、ユーザー固有のデータ管理画面を作成するデータ管理画面作成ステップと、前記管理画面作成ステップにより作成されたデータ管理画面が前記表示手段に表示された状態で、前記オブジェクトアイコンを指定しまたは開く操作が行われたときに、前記オブジェクトアイコンと紐付けられた情報を表示させ、かつ前記データアイコンには前記数値データを表示させる表示制御ステップと、を備えたことを特徴とするデータ管理装置におけるデータ管理方法。
（７）表示手段を備えたデータ管理装置のＣＰＵに、前記表示手段に表示されたベース画像上に、管理対象オブジェクトを示す１個または複数個のオブジェクトアイコン、及び前記ベース画像の管理対象オブジェクトの画像上またはその近傍位置に、管理対象オブジェクトに関する数値データを表示するための１個または複数個のデータアイコンをユーザー操作に基づいて貼り付けることにより、ユーザー固有のデータ管理画面を作成するデータ管理画面作成ステップと、前記管理画面作成ステップにより作成されたデータ管理画面が前記表示手段に表示された状態で、前記オブジェクトアイコンを指定しまたは開く操作が行われたときに、前記オブジェクトアイコンと紐付けられた情報を表示させ、かつ前記データアイコンには前記数値データを表示させる表示制御ステップと、を実行させるためのデータ管理プログラム。
（８）前項１〜５の何れかに記載のデータ管理装置と、管理対象オブジェクトに関する数値データを測定する１個または複数個の測定装置とを備え、前記データ管理装置はさらに、前記測定装置から出力される時間経過と共に変化する数値データについての情報を連続的にあるいは定期的に受信する受信手段と、前記受信手段により受信した数値データについての情報を記憶する記憶手段とを備え、データ管理装置の前記表示制御手段は、前記記憶手段に記憶されている数値データに関する情報に基づいて、前記データアイコンに数値データを表示させることを特徴とするデータ管理プログラム。
【発明の効果】
【００１１】
前項（１）に記載の発明によれば、表示手段に表示されたベース画像上に、管理対象オブジェクトを示す１個または複数個のオブジェクトアイコン、及び管理対象オブジェクトに関する数値データを表示するための１個または複数個のデータアイコンをユーザー操作に基づいて貼り付けることにより、ユーザー固有のデータ管理画面が作成される。そして、作成されたデータ管理画面が表示手段に表示された状態で、オブジェクトアイコンを指定しまたは開く操作が行われたときに、オブジェクトアイコンと紐付けられた情報が表示され、かつデータアイコンには管理対象オブジェクトに関する数値データが表示されている。
【００１２】
従って、ユーザーは自己が管理したいオブジェクトを示すオブジェクトアイコンをベース画像上のユーザーが望む位置に貼り付け、さらに管理対象オブジェクトの画像上またはその近傍位置にデータアイコンを貼り付けて、このデータアイコンに管理対象オブジェクトに関する数値データを表示させることにより、ユーザーはデータ管理画面と各アイコンを見ることによって、管理対象オブジェクトやそれらに関するデータ相互の関係を視覚的にあるいは直感的に把握することができ、データ管理を容易に行うことができる。また、データ管理画面上のオブジェクトアイコンを指定しまたは開く操作がなされたときは、オブジェクトアイコンに紐付けられた情報が表示手段に表示されるから、ユーザーは必要なときにオブジェクトアイコンと紐付けられたデータを確認することができる。
【００１３】
前項（２）に記載の発明によれば、オブジェクトアイコン及び／またはデータアイコンには、管理対象オブジェクトまたは管理対象オブジェクトに関する数値データに不確定要素が含まれていることを示すブラックボックスアイコンが含まれているから、ユーザーはこのブラックボックスアイコンを見れば、管理対象オブジェクトや管理対象オブジェクトに関する数値データに不確定要素が含まれていることを容易に認識することができる。つまり、例えば管理対象オブジェクトは必要であるが実際には未だ設置されていない場合や、設置されているがその特性が不明確である場合、あるいは管理対象オブジェクトに関する数値データがユーザーが取得できないデータであったり、データ取得用のアプリケーションが実現されていないような場合等に、その不確定要素をブラックボックスアイコンで表示しておくことにより、その不確定要素を将来的に確定させる目安となるから、データ管理画面をシステム設計用のツールとしても用いることができる。
【００１４】
前項（３）に記載の発明によれば、ユーザーはデータアイコンにより、時間経過と共に数値が変化するデータにおける最新値を確認することができる。
【００１５】
前項（４）に記載の発明によれば、発電装置の発電量、蓄電装置の蓄電量または家屋内の電気機器の電力消費量を視覚的にあるいは直感的に把握することができ、これらの管理が容易になる。
【００１６】
前項（５）に記載の発明によれば、被加熱流体を加熱装置により加熱して熱供給を行う熱供給システムにおいて、被加熱流体の所定部位の少なくとも温度と流量を効率よく管理することができる。
【００１７】
前項（６）に記載の発明によれば、ユーザーは自己が管理したいオブジェクトを示すオブジェクトアイコンをベース画像上のユーザーが望む位置に貼り付け、さらに管理対象オブジェクトの画像上またはその近傍位置にデータアイコンを貼り付けて、このデータアイコンに管理対象オブジェクトに関する最新の数値データを表示させることにより、ユーザーはデータ管理画面と各アイコンを見ることによって、管理対象オブジェクトやそれらに関するデータ相互の関係を視覚的にあるいは直感的に把握することができ、データ管理を容易に行うことができる。また、データ管理画面上のオブジェクトアイコンを開く操作がなされたときは、オブジェクトアイコンに紐付けられたデータが表示手段に表示されるから、ユーザーは必要なときにオブジェクトアイコンと紐付けられたデータを確認することができる。
【００１８】
前項（７）に記載の発明によれば、表示手段に表示されたベース画像上に、管理対象オブジェクトを示す１個または複数個のオブジェクトアイコン、及びベース画像の管理対象オブジェクトの画像上またはその近傍位置に、管理対象オブジェクトに関する数値データを表示するための１個または複数個のデータアイコンをユーザー操作に基づいて貼り付けることにより、ユーザー固有のデータ管理画面を作成する処理、及び作成されたデータ管理画面が表示手段に表示された状態で、オブジェクトアイコンを開く操作が行われたときに、オブジェクトアイコンと紐付けられた情報を表示させ、データアイコンには時間経過と共に数値が変化するデータにおける最新のデータを表示させる処理を、データ管理装置のＣＰＵに実行させることができる。
【００１９】
前項（８）に記載の発明によれば、ユーザーが管理対象オブジェクトやそれらに関するデータ相互の関係を視覚的にあるいは直感的に把握することができ、データ管理を容易に行うことができるシステムとなる。
【図面の簡単な説明】
【００２０】
【図１】この発明の一実施形態に係るデータ管理装置が用いられたデータ管理システムの構成図である。
【図２】データ管理装置の内部構成を示す図である。
【図３】データ管理画面の一例を示す図である。
【図４】図３のデータ管理画面上のオブジェクトアイコンを開いたときに表示される画面の一例を示す図である。
【図５】図４のデータ管理画面上のオブジェクトアイコンを開いたときに表示される画面の一例を示す図である。
【図６】データ管理画面の他の例を示す図である。
【図７】データ管理画面の作成処理を行うときの初期画面を示す図である。
【図８】図７の画面において、データ管理画面作成・修正ボタンを押したときに表示される画面を示す図である。
【図９】図８の画面において、新規作成ボタンを押したときに表示される画面を示す図である。
【図１０】アイコン貼り付け処理の画面を示す図である。
【図１１】ブラックアイコン設定処理の画面を示す図である。
【図１２】情報紐付け処理の画面を示す図である。
【図１３】同じく情報紐付け処理の画面を示す図である。
【図１４】データ管理装置によって実行されるデータ管理画面の作成処理のフローチャートである。
【発明を実施するための形態】
【００２１】
以下、この発明の実施形態を図面に基づいて説明する。
［全体構成］
図１は、この発明の一実施形態に係るデータ管理装置が用いられたデータ管理システムの構成図である。このデータ管理システムは、データ管理装置１の他に１個または複数個の数値データ測定装置２を有し、数値データ測定装置２はネットワーク３を介してあるいは直接にデータ管理装置１と接続されている。
【００２２】
図２はデータ管理装置１の構成図である。このデータ管理装置１はこの実施形態ではパーソナルコンピュータからなり、ＣＰＵ１１、ＲＯＭ１２、ＲＡＭ１３、記憶部１４、表示装置１５、入力装置１６、ネットワークインターフェース部（ネットワークＩ/F部）１７等を備え、システムバス１８を介して互いに接続されている。
【００２３】
ＣＰＵ１１は、ＲＯＭ１２等に保存されているプログラムを実行することにより、データ管理装置１の全体を統括的に制御する。特に、この実施形態では、ユーザー操作に基づいて各種のオブジェクトアイコンやデータアイコンを作成すると共に、オブジェクトアイコンやデータアイコンに紐付けて情報を記憶させたり、作成したオブジェクトアイコンやデータアイコンをベース画像に貼り付けてデータ管理画面を作成したり、オブジェクトアイコンやデータアイコンにカーソルを当てて指定する操作やダブルクリック等の開く操作を行ったときに、オブジェクトアイコンやデータアイコンと紐付けられた情報を表示するなどの動作を行うが、詳細な説明は後述する。
【００２４】
ＲＯＭ１２は、ＣＰＵ１１が実行するためのプログラムやその他のデータを保存する記憶媒体である。
【００２５】
ＲＡＭ１３は、ＣＰＵ１１が動作用プログラムに従って動作する際の作業領域を提供する記憶媒体である。
【００２６】
記憶部１４は、ハードディスク等の記憶媒体からなり、アプリケーション、各種のデータ例えばオブジェクトアイコンやデータアイコンと紐付けられた情報、数値データ測定装置３から受信した数値データに関する情報、作成されたデータ管理画面データ等が保存される。
【００２７】
表示装置１５は、ＣＲＴや液晶表示装置等からなり、オブジェクトアイコンやデータアイコンが貼り付けられるベース画像、作成されたデータ管理画面、オブジェクトアイコンやデータアイコンと紐付けられた情報、ユーザーに対する各種のメッセージ等が表示される。
【００２８】
入力装置１６は、ユーザーによる入力操作に用いられるもので、キーボードやマウス等からなる。
【００２９】
ネットワークインターフェース部１７は、他のデータ管理装置２、数値データ測定装置３等との間で、ネットワーク５を介して、データの送受信を行う通信手段として機能する。
【００３０】
数値データ測定装置３は管理対象オブジェクトに関する数値データを測定する。数値データ測定装置３の一例としては、家屋内の電力管理を行う場合は、消費電力を算出する電力計であるスマートメーター、太陽光発電による発電量の測定センサー、蓄電量を出力可能な蓄電装置（バッテリ）、自己の消費電力を出力可能な自然冷媒ヒートポンプ給湯機（エコキュート（登録商標））などがある。また、熱供給管理を行う場合は、ボイラーで加熱された循環湯の温度や流量を測定する温度センサーや流量センサー、出力情報を出力可能なポンプなどがある。
【００３１】
［データ管理画面の具体例］
次に、データ管理画面の具体例について説明する。
【００３２】
図３は表示装置に表示されたデータ管理画面の一例を示す図である。このデータ管理画面は家屋内の配電系統画面からなり、線分で家屋の輪郭が表示されるとともに、管理対象オブジェクトである各装置を示すオブジェクトアイコンが表示されている。
【００３３】
管理対象オブジェクトである各装置として、この実施形態では、太陽光パネル（ＰＶパネル）、消費電力を算出する電力計であるスマートメーター、分電盤、パワーコンディショナー（ＰＣＳ）、蓄電装置（バッテリ）、自然冷媒ヒートポンプ給湯機（エコキュート（登録商標））、ＰＶリモコン、切り替え機構、ＣＴ回路センサー盤、操作盤等がある。従って、各管理対象オブジェクトを示すオブジェクトアイコンとして、この実施形態では、ＰＶパネルアイコン１０１、スマートメーターアイコン１０２、分電盤アイコン１０３、ＰＣＳアイコン１０４、バッテリアイコン１０５、自然冷媒ヒートポンプ給湯機アイコン１０６、ＰＶリモコンアイコン１０７、切り替え機構アイコン１０８、ＣＴ回路センサー盤アイコン１０９、操作盤アイコン１１０が、それぞれユーザーにより設定された位置に配置されている。また、各オブジェクトアイコンにはそれによって表される管理対象オブジェクトの名称が付加されている。また、各オブジェクトアイコンを接続する配電線が実際の電気の流れと同じになるように記載されている。また、分電盤からは家屋１階及び２階の各電気機器に配電されることから、分電盤アイコン１０３から宅内配線システム（１ｆ）及び宅内配線システム（２ｆ）へ配線が接続されていることが表示されている。後述するように、分電盤アイコン１０３をダブルクリック等により開くと、図示は省略したが、１階及び２階で使用されている各電気機器やブレーカーを示すアイコンが配置された下位階層のデータ管理画面に遷移するようになっている。
【００３４】
さらに、複数のオブジェクトアイコン上あるいはその近傍位置に、管理対象オブジェクトに関して時間経過と共に変化する数値データのうち最新の数値データを表示させるための、表示窓からなるデータアイコンが表示されている。
【００３５】
即ち、太陽光パネル（ＰＶパネル）アイコン１０１上には、ＰＶパネルの最新の発電量を表示するデータアイコン１２１が配置されている。スマートメーターアイコン１０２の近接位置には、スマートメーターで測定される最新の総消費電力を表示するデータアイコン１２２が配置されている。分電盤アイコン１０３上には、ＣＴ回路センサの受信編集処理によって得られる最新の総消費電力を表示するデータアイコン１２３が配置されている。また、ＰＣＳアイコン１０４上には、ＰＣＳ情報の受信編集処理によって得られる最新の総消費電力を表示するデータアイコン１２４が配置されている。バッテリアイコン１０５上には、バッテリの最新の蓄電量（電池残容量）を表示するデータアイコン１２５が配置されている。自然冷媒ヒートポンプ給湯機アイコン１０６上には、ＣＴ回路センサの受信編集処理によって得られる自然冷媒ヒートポンプ給湯機の最新の消費電力を表示するデータアイコン１２６が配置されている。なお、図３において各データアイコン上の〇〇〇は数値が表示されていることを示している。
【００３６】
各数値データ測定装置３から出力される数値データはデータ管理装置１に入力され、データ管理装置１は入力した数値データを時間情報と共に記憶部１４に記憶する。また、各データアイコン１２１〜１２６は、記憶部１４に記憶されている数値データの中の最新の数値データが表示されるように、必要なアプリケーションを介して数値データと紐付けられている。そして、各データアイコン１２１〜１２６に対しダブルクリック等の開く操作を行うと、数値データの過去の一覧リスト等の詳細データが表示されるようになっている。
【００３７】
なお、データアイコン１２１〜１２６に表示されるデータは数値データ測定装置３から入力されたデータに限定されることはなく、数値データ測定装置３から入力されたデータを用いて所定のアプリケーションで演算された例えばコスト等のような、管理対象オブジェクトと間接的に関連する数値データであっても良い。
【００３８】
さらにこの実施形態では、データ管理画面Ｄ１内の１つのデータアイコンがブラックボックスアイコン１３１として構成され、表示されている。この例では、ユーザーはブラックボックスアイコン１３１に、売電電力量（余剰電力量）を表示したいと考えているが、そのためのアプリケーションが未入手または未完成であるため、実際には表示させることはできない。そこで、他のデータアイコン１２１〜１２６やオブジェクトアイコン１０１〜１１２とは識別可能な態様で、ブラックボックスアイコン１３１が表示されている。他のデータアイコン１２１〜１２６やオブジェクトアイコン１０１〜１１２とは識別可能な態様として、この実施形態ではブラックボックスアイコン１３１がグレー表示（図３ではハッチングで示している）された状態で表示されている。なお、他のデータアイコン１２１〜１２６やオブジェクトアイコン１０１〜１１２とは識別可能な表示態様として、グレー表示のように色彩を変える他、形状を変えても良いし、ブラックボックスアイコンであることを文字や記号等で表示しても良い。
【００３９】
また、この実施形態では、ブラックボックスアイコン１３１の表示窓に、「売電電力量」の文字を表示させて、このブラックボックスアイコン１３１に将来的に売電電力量を表示させたいことが、ユーザー自身確認的にわかるようになっている。また、売電電力量は「ＰＶ発電量−消費電力」で求まることから、ブラックボックス１３１をダブルクリック等して開くと、関係式等を示すメモ書きが表示されるようになっている。
【００４０】
なお、データアイコン１２１〜１２６ではなくオブジェクトアイコン１０１〜１１２をブラックボックスアイコンとして設定しても良い。例えば、管理対象オブジェクトを将来的には設置したいが現在は未だ存在していない場合や、存在しているが仕様や特性等が不明なため直ちに管理できないような場合に、ブラックボックスアイコンとして設定・表示すれば良い。この場合も、ブラックボックスアイコンとして設定されたオブジェクトアイコンは例えばグレー表示され、他のアイコンと識別できる表示形態となっている。
【００４１】
さらに、この実施形態では、各オブジェクトアイコン１０１〜１１２と、該オブジェクトアイコンで示される管理対象オブジェクトに関連する情報とが予め紐付けられており、オブジェクトアイコン１０１〜１１２に対しダブルクリック等の開く操作を行うと、そのオブジェクトアイコン１０１〜１１２と紐付けられた情報が画面に表示されるようになっている。オブジェクトアイコン１０１〜１１２に紐付けられる情報は特に限定されることはなく、各オブジェクトアイコン１０１〜１１２で示される管理対象オブジェクトの詳細情報であるたとえば製造メーカー、型式等を含む仕様書であってもよいし、ユーザーが記憶させたメモであってもよいし、写真等の画像データであっても良い。また、オブジェクトアイコン１０１〜１１２にアプリケーションを紐付けておき、オブジェクトアイコンを開く操作が行われたときにはアプリケーションが実行されることによりウェブサイト等から得られた情報が表示されるようにしてもよい。
【００４２】
なお、オブジェクトアイコンに２つ以上の情報を紐付けておき、オブジェクトアイコンに対し開く操作が行われたときには、紐付けられた２つ以上の情報が同時にあるいは選択的に表示されるように構成されても良い。
【００４３】
また、オブジェクトアイコン１０１〜１１２に下位階層の画面情報を紐付けておき、オブジェクトアイコン１０１〜１１２が開かれたときには下位階層の画面に遷移する構成としても良い。
【００４４】
例えば、この実施形態では、ＰＶパネルアイコン１０１は、さらに詳細なＰＶパネルストリングの配置を示す下位画面Ｄ２と紐付けられている。この下位画面Ｄ２は、図４に示すように、屋根の平面輪郭線と、複数（この例では３個）のＰＶパネルストリングの配置を示すＰＶパネルストリングアイコン１０１ａ〜１０１ｃと、各ＰＶパネルストリングアイコン１０１ａ〜１０１ｃの近傍に配置された３個のデータアイコン１２１ａ〜１２１ｃを含んでいる。各データアイコン１２１ａ〜１２１ｃは、対応するＰＶパネルストリングのそれぞれ最新の発電量を表示している。図４の画面Ｄ２でもどるボタンを押すと１つ上位の画面である図３の画面Ｄ１に遷移する。
【００４５】
さらに、各ＰＶパネルストリングアイコン１０１ａ〜１０１ｃはそれぞれ図５に示すような履歴表示メニューと紐付けられており、各ＰＶパネルストリングアイコン１０１ａ〜１０１ｃを開くと、図５に示すように履歴表示メニューの表示画面Ｄ３が表示されるようになっている。この履歴表示メニューには、履歴表示期間を指定するために「開始年月日時刻」の入力欄と「表示期間選択」欄が設けられるとともに、表示内容として、「グラフ表示（瞬時値Ｗ、積算値Ｗｈ）」か「数値表示、エラー履歴」を選択できるようになっている。ユーザーが開始年月日時刻を指定し、表示期間を選択し、表示内容を選択すると、指定・選択された内容でデータが表示される。図５の画面Ｄ３でもどるボタンを押すと１つ上位の画面である図４の画面Ｄ２に遷移する。
【００４６】
また。図示は省略したが、分電盤アイコン１０３を開くことにより、前述したように一階及び２階部分に配置された冷蔵庫、エアコン、テレビ、ブレーカー等の各機器の接続配線図が表示される構成としても良い。
【００４７】
また、データアイコン１２１〜１２６やオブジェクトアイコン１０１〜１１２を開く操作ではなく、カーソルをデータアイコン１２１〜１２６やオブジェクトアイコン１０１〜１１２に当てて指定したときに、アイコンに紐付けられた情報が表示され、カーソルを離して指定を解除したときには表示が解除されるようにしても良い。また、カーソルをデータアイコン１２１〜１２６やオブジェクトアイコン１０１〜１１２に当てて指定する操作あるいは開く操作が行われたときに、複数の情報のリストが表示され、何れかの情報を選択したときに選択された情報が表示されるようにしても良い。
【００４８】
ユーザーが図３に示したようなデータ管理画面Ｄ１をデータ管理装置１の表示装置１５に表示させることにより、ユーザーは家屋内の各電力装置とその配電系統、及び各電力装置の最新の電力状態、換言すれば発電量、蓄電量、消費電力等を、視覚的にあるいは直感的に把握することができ、それに基づいて装置の故障の有無を確認したり、消費電力の抑制行動を実施する等の措置を行うことができ、簡単な構成で効率的な電力管理を行うことができる。
【００４９】
また、一部のオブジェクトアイコンやデータアイコンをブラックアイコンとすることにより、ブラックアイコンに対応する管理対象オブジェクトやデータを将来的に取得したいというユーザーの意図をデータ管理画面に反映させることができ、設計書的な役割をデータ管理画面に付与することができる。
【００５０】
［データ管理画面の別の具体例］
図６は表示装置１５に表示されたデータ管理画面の他の例を示す図である。このデータ管理画面Ｄ４は、被加熱流体を加熱装置により加熱して熱供給を行う熱供給システムにおける加熱流体の流れを示す配管系統画面からなる。
【００５１】
この実施形態では加熱流体が水であり、管理対象オブジェクトである各熱供給装置として、木質チップを燃料として水を加熱する複数のチップボイラ、重油を燃料として水を加熱する複数の重油ボイラ、加熱した湯を貯留する複数のストレージタンク、貯留された湯を各所に分配供給するための複数のヘッダータンク、各循環水を熱交換するための第１熱交換機、第２熱交換機及びポンプ等がある。従って、各管理対象オブジェクトを示すオブジェクトアイコンとして、この実施形態では、チップボイラアイコン２０１、重油ボイラアイコン２０２、ストレージタンクアイコン２０３、ヘッダータンクアイコン２０４、第１熱交換機アイコン２０５、第２熱交換機アイコン２０６及びポンプアイコン２０７〜２１０が、それぞれユーザーにより設定された位置に複数個配置されるとともに、実際の水の循環経路と同じになるように各オブジェクトアイコン２０１〜２１０を接続する配管線２００が記載され、配管線２００には水の流れ方向が矢印で記載されている。また、各オブジェクトアイコン２０１〜２１０には必要に応じて管理対象オブジェクトの名称や番号、さらには記号（例えばポンプを示す記号Ｐ）が付加されている。なお、各オブジェクトアイコンを色分けしても良い。
【００５２】
この実施形態では、各チップボイラで加熱された湯はポンプにより第１熱交換機の一次側を通って再びチップボイラへと循環されるとともに、第１熱交換機を通過する間に第１熱交換機の二次側を循環する湯と熱交換を行い熱を供給するようになっている。第１熱交換機の近傍において、熱交換前の湯温と熱交換後の湯温、循環湯の流量がセンサーで測定され、各ポンプの出力も測定されるようになっている。これに対応して、データ管理画面Ｄ４では、各チップボイラアイコン２０１から第１熱交換機アイコン２０５を通ってチップボイラアイコン２０１へと戻る配管線２００が形成され、各配管線２００の途中にＰで示すポンプアイコン２０７が配置されている。また、各第１熱交換機アイコン２０５の近傍には、複数個のデータアイコン２２１〜２２３、２２５〜２２７が配置され、データアイコン２２１、２２５に熱交換前（１次往と記している）の最新の湯温、データアイコン２２２、２２６に熱交換後（１次還と記している）の最新の湯温、データアイコン２２３、２２７に循環湯量が表示され、各ポンプアイコン２０７の近傍にもデータアイコン２２４、２２８が配置されて、各ポンプの最新のポンプ出力が表示されている。
【００５３】
また、第１熱交換機の二次側を通過する湯はストレージタンクからポンプによって循環しており、ストレージタンク内の湯温がセンサーで測定されている。また、ストレージタンク内の湯温が低下すると、ストレージタンク内の湯がポンプを介して重油ボイラへと循環され、重油ボイラで加熱されるようになっている。これに対応して、データ管理画面Ｄ４では、２個のストレージタンクアイコン２０３、２個の第１熱交換機アイコン２０５、２個の重油ボイラアイコン２０２が配置されると共に、これらアイコンを巡る配管線２００が記載され、さらに配管線２００の途中にＰで示すポンプアイコン２０８が配置されている。また、各ストレージタンクアイコン２０３上にはデータアイコン２３１、２３２が配置され、このデータアイコン２３１、２３２にストレージタンク内の最新の湯温が表示されている。また、各重油ボイラアイコン２０２上にもデータアイコン２３３、２３４が配置され、このデータアイコン２３３、２３４に重油ボイラで使用される最新の油量が表示されている。この実施形態では、データアイコン２３３、２３４に示されている油量はゼロであり、重油ボイラは作動していないことがわかる。
【００５４】
さらに、各重油ボイラアイコン２０２、２０２の近傍には、複数個のデータアイコン２６１〜２６８が配置されている。データアイコン２６１、２６５に各重油ボイラへ入力前の最新の湯温、データアイコン２６３、２６７に各重油ボイラから出力後の最新の湯温、データアイコン２６２、２６６に循環湯量が表示され、データアイコン２６４、２６８に各ポンプアイコン２０８で示されるポンプの最新のポンプ出力が表示されている。
【００５５】
また、各ストレージタンクに貯留されている湯は、相互に熱交換機を介して各ヘッダータンクに貯留された湯と熱交換されており、各ストレージタンク及びヘッダータンク内では同一の湯温に保持されている。
【００５６】
さらに、１つのヘッダータンクから他のヘッダータンクへ、需要家の各負荷に熱供給を行うための複数の循環経路が形成されており、ヘッダータンク内の湯は各ポンプにより各循環経路を通って循環される。各循環経路を通過する湯は各負荷毎に設けられた第２熱交換機の一次側を通過する間に、第２熱交換機の二次側を通ってポンプにより循環し負荷に供給される湯と熱交換を行って熱を供給するようになっている。需要家の負荷としては例えば給湯装置、暖房装置、風呂用加熱装置、温泉湯の加熱装置等があり、第２熱交換機で熱交換された湯によって各装置への熱供給が行われるようになっている。そして、負荷側を循環する湯の熱交換前後の温度、循環湯量がセンサで測定され、各ポンプの出力も測定されている。
【００５７】
これに対応して、データ管理画面Ｄ４では、２つのヘッダータンクアイコン２０４のうちの１つから４個の第２熱交換機アイコン２０６を通って他のヘッダータンクアイコン２０４へと至る配管線２００が形成され、各配管線２００の途中にＰで示すポンプアイコン２０９が配置されている。また、各第２熱交換機アイコン２０６の二次側においては、第２熱交換機アイコン２０６を通って各負荷へと循環する配管線２００が形成され、各配管線２００の途中にＰで示すポンプアイコン２１０がそれぞれ配置されている。また、各第２熱交換機アイコン２０６の近傍にもそれぞれデータアイコン２４１〜２５６が配置されている。データアイコン２４１、２４５、２４９、２５３に第２熱交換機による熱交換後の最新の湯温が、データアイコン２４３、２４７、２５１、２５５に熱交換前の最新の湯温が、データアイコン２４２、２４６、２５０、２５４に循環湯量が表示されている。また、各ポンプアイコン２０１の近傍にもデータアイコン２４４、２４８、２５２、２５６が表示され、最新の各ポンプ出力が表示されている。
【００５８】
各データアイコン２２１〜２５６は、前述したような数値データが表示されるようにアプリケーションが設定されているが、各データアイコン２２１〜２５６に対してダブルクリック等の開く操作を行うと、過去の数値データの一覧リスト等の詳細データが表示されるようになっている。
【００５９】
さらにこの実施形態では、データ管理画面Ｄ４内の１つのデータアイコン及びオブジェクトアイコンがブラックボックスアイコンとして設定され、表示されている。具体的には、需要家が負荷として例えば別の給湯装置を設置予定であるが、未だ設置されていない場合、その給湯装置のために用いる第２熱交換機アイコン３０１及びポンプアイコン３０２をブラックボックスアイコンとして設定する。また、新たな負荷に関する循環湯の熱交換前後の温度、流量を表示させるためのデータアイコン３０３、３０４、３０５、ポンプ出力を表示するデータアイコン３０６もブラックボックスアイコンとして設定する。設定されたブラックボックスアイコン３０１〜３０６は他のオブジェクトアイコンやデータアイコンとは識別可能な態様で表示する。他のデータアイコンやオブジェクトアイコンとは識別可能な態様として、この実施形態ではブラックボックスアイコン３０１〜３０６がグレー表示（図６ではハッチングで示している）された状態で表示されている。なお、他のデータアイコンやオブジェクトアイコンとは識別可能な態様として、グレー表示のように色彩を変える他、形状を変えても良いし、ブラックボックスアイコンであることを文字や記号等で表示しても良い。
【００６０】
さらに、この実施形態では、各オブジェクトアイコン２０１〜２１０と、対応する管理対象オブジェクトに関連する情報とが予め紐付けられており、オブジェクトアイコン２０１〜２１０に対してダブルクリック等の開く操作を行うと、そのオブジェクトアイコン２０１〜２１０と紐付けられた情報が画面に表示されるようになっている。オブジェクトアイコン２０１〜２１０に紐付けられる情報は特に限定されることはなく、各オブジェクトアイコン２０１〜２１０で示される管理対象オブジェクトの詳細情報であるたとえば製造メーカー、型式等を含む仕様書であってもよいし、ユーザーが記憶させたメモであってもよいし、写真等の画像データであっても良い。また、オブジェクトアイコン２０１〜２１０にアプリケーションを紐付けておき、オブジェクトアイコンを開く操作が行われたときにはアプリケーションそのものが表示されるのではなく、アプリケーションが実行されることによりウェブサイト等から得られた情報が表示されるようにしてもよい。
【００６１】
なお、オブジェクトアイコンに２つ以上の情報を紐付けておき、オブジェクトアイコンを開く操作が行われたときには、紐付けられた２つ以上の情報が同時にあるいは選択的に表示されるように構成されても良い。
【００６２】
また、オブジェクトアイコンに下位階層の画面データを紐付けておき、オブジェクトアイコンが開かれたときには下位階層の画面に遷移する構成としても良い。
【００６３】
この実施形態においても、データアイコンやオブジェクトアイコンを開く操作ではなく、カーソルをデータアイコンやオブジェクトアイコンに当てて指定したときに、紐付けられた情報が表示され、カーソルを離して指定を解除したときには表示が解除されるようにしても良い。また、カーソルをデータアイコンやオブジェクトアイコンに当てて指定する操作あるいは開く操作が行われたときに、複数の情報のリストが表示され、何れかの情報を選択したときに選択された情報が表示されるようにしても良い。
【００６４】
ユーザーが図６に示したようなデータ管理画面Ｄ４をデータ管理装置１の表示装置１５に表示させることにより、ユーザーは熱供給システムにおける各装置の作動状態や全体の熱需給バランス等を、視覚的にあるいは直感的に把握することができ、それに基づいて各種の措置を講ずることができ、簡単な構成で効率的な熱供給管理を行うことができる。
【００６５】
また、一部のオブジェクトアイコンやデータアイコンをブラックアイコンとすることにより、図３に示したデータ管理画面Ｄ３の場合と同様に、ブラックアイコンに対応する管理対象オブジェクトやデータを将来的に取得したいというユーザーの意図をデータ管理画面に反映させることができ、設計書的な役割をデータ管理画面に付与することができる。
【００６６】
［データ管理画面の作成方法］
次に、データ管理装置１を用いたデータ管理画面Ｄ１、Ｄ４の作成方法について説明する。ユーザーは、予めインストールしたデータ管理アプリケーションを起動すると、図７に示すように、データ管理画面作成の初期画面Ｄ１１が表示される。この初期画面Ｄ１１には「データ管理画面作成・修正」「データ管理画面表示」の各ボタンが表示されている。
【００６７】
データ管理画面作成・修正ボタンはデータ管理画面を作成しまたは作成されて記憶部１４に保存されたデータ管理画面を修正するためのボタンであり、データ管理画面表示ボタンは作成され記憶部１４に保存されたデータ管理画面を表示するためのボタンである。
【００６８】
ユーザーがデータ管理画面作成・修正ボタンを押すと、新規作成ボタンと修正ボタンが表示された図８の画面Ｄ１２に遷移する。ユーザーが新規作成ボタンを押すと、図９に示す画面Ｄ１３に遷移し、画面の右部領域に白色画像４０１が表示されるとともに、画面の左端部に「背景画像を作成して下さい」のメッセージとともに読み込みボタン、呼び出しボタン及び決定ボタンが表示される。
【００６９】
背景画像は、ユーザーがオブジェクトアイコンやデータアイコンを貼り付けるためのベース画像である。ユーザーは、読み込みボタンを押した後、写真データや設計データ等の任意の画像データをスキャナなどで読み込んで、背景画像を作成することができる。あるいは呼び出しボタンを押した後、既に保存されているデータを読み出して、背景画像を作成することができる。また読み込みあるいは呼び出した背景画像上に線分や記号等を追加することができるようになっている。あるいは白色画像上で線分や記号等を用いて背景画像を描画作成できるようにもなっている。また、種々の背景画像のひな形を用意しておき、ユーザーが好みの背景画像を選択することにより、背景画像を作成しても良い。
【００７０】
背景画像の作成後は、決定ボタンを押すことで、作成された背景画像上にオブジェクトアイコン及びデータアイコンを貼り付けるとともに、貼り付けたアイコンと所望の情報とを紐付けるアイコン貼り付け・紐付け工程に遷移する。何も行うことなく決定ボタンが押された場合は、白色画像のままアイコン貼り付け・紐付け工程に遷移する。この場合、アイコン貼り付け・紐付け工程で、線分や記号等を用いて背景画像を描画作成しながら、オブジェクトアイコン及びデータアイコンを貼り付けることができる。
【００７１】
アイコン貼り付け・紐付け工程では、図１０の画面Ｄ１４に示すように、画面の左端部領域に「アイコンを選択して貼り付け、紐付ける情報を選択して下さい」のメッセージと共に、四角形、三角形、円形等の複数の形状のオブジェクトアイコンと、四角形のデータアイコンが表示される。
【００７２】
ユーザーが図１０に矢印で示すように、必要なオブジェクトアイコンまたはデータアイコンを選択してドラッグし、右側の白色の背景画像４０１上の所望の位置にドロップすると、選択したオブジェクトアイコンまたはデータアイコンと同じアイコンが作成され、背景画像４０１上のドロップされた位置に貼り付けられる。アイコンの位置情報は、背景画像４０１上の座標情報と紐付けられる。また、各オブジェクトアイコンには入力欄が設けられており、ユーザーは入力欄にオブジェクトアイコンで表示される部材等の名称や記号等を入力できるようになっている。また、背景画像４０１におけるオブジェクトアイコンやデータアイコンの近くに、各アイコンで表示される内容に関する文字を記載しても良い。また、必要に応じて線分や記号等の画像を追加描画しても良い。
【００７３】
なお、オブジェクトアイコンまたはデータアイコンを「電力システム」「熱供給システム」等の用途毎に纏めて予め作成しておき、ユーザーが必要なアイコンを選択できるようにしても良い。例えば、「電力システム」に用いられる電力装置用のオブジェクトアイコンとして、太陽光発電パネルアイコン、冷蔵庫アイコン、分電盤アイコン等を予め作成しておき、ユーザーが「電力システム」を選択したときはこれらのアイコンが表示され、ユーザーは表示されたアイコンを使用できるようにしても良い。また、「熱供給システム」に用いられる熱供給装置用のオブジェクトアイコンやデータアイコンアイコンとして、ボイラーアイコン、ストレージタンクアイコン等を予め作成しておき、ユーザーが「熱供給システム」を選択したときはこれらのアイコンが表示され、使用できるようにしても良い。
【００７４】
ユーザーが、オブジェクトアイコンまたはデータアイコンを背景画像上に貼り付けると、図１１に示すように、「ブラックボックスアイコンとして設定しますか」のメッセージと共に、はいボタンといいえボタンがポップアップ画面Ｄ１５に表示される。はいボタンが押されると、貼り付けられたアイコンがブラックボックスアイコンとして設定され、アイコンの表示形態が例えばグレー表示等に変化すると共に、図１２に示すポップアップ画面Ｄ１６が表示される。いいえボタンが押されるとそのまま図１２に示すポップアップ画面Ｄ１６が表示される。
【００７５】
なお、ブラックボックスアイコンは必ずしも設定されなければならないものではなく、他のアイコンとは色等の表示形態が異なるアイコンをユーザー自身がブラックボックスアイコンとして定義するだけであっても良い。
【００７６】
図１２に示す画面Ｄ１６では、「紐付ける情報を選択して下さい」のメッセージとともに、紐付けボタンとキャンセルボタンが表示される。ユーザーがキャンセルボタンを押すと、そのアイコンについてはデータの紐付けは行われない。この場合は、データ管理画面においてアイコンを指定しあるいは開く操作が行われても、データは表示されない。
【００７７】
ユーザーが紐付けボタンを押すと、図１３に示すように紐付け対象情報の選択画面Ｄ１７がポップアップ表示される。この画面Ｄ１７では、予め作成され記憶部１４に保存されている紐付け対象のデータの選択が可能であり、また「選択された情報を紐付けます」のメッセージと共に、決定ボタンともどるボタンが表示されている。もどるボタンが押されると、図１２の画面に戻る。決定ボタンが押されると、貼り付けられたアイコンと選択された情報とが紐付けられる。この場合は、データ管理画面においてアイコンを指定しあるいは開く操作が行われると、紐付けられた情報が表示される。紐付け後、図１０の画面Ｄ１４に戻る。
【００７８】
なお、データアイコンについてはセンサーや測定装置等の出力情報である数値データと紐付けられるが、この場合は、紐付けられた数値データの最新値を表示し、データアイコンを指定しあるいは開く操作が行われると、紐付けられた数値データのリスト等の詳細データを表示するようにアプリケーションが構成されている。また、ブラックボックスアイコンとして設定されたデータアイコンについては、数値データと紐付けることができないので、メモ書きや関連する情報等に紐付けられる。
【００７９】
こうして、オブジェクトアイコンやデータアイコンの貼り付け、ブラックボックスアイコンの作成、及び各アイコンと所望の情報との紐付けの操作完了後、ユーザーが終了ボタンを押すと、図示は省略したが、保存するかそのまま終了するかの選択画面が表示され、ユーザーが保存を選択すると、データ管理画面の名称入力欄が表示される。ユーザーが名称入力欄に名称を入力して保存ボタンを押すと、作成されたデータ管理画面が記憶部１４に保存される。この際に、背景画像に貼り付けられたアイコンの位置情報は画面の座標情報と紐付けられて記憶され、アイコンとデータとの紐付け情報、ブラックアイコンとして設定されたアイコンの情報も記憶部１４に記憶される。
【００８０】
作成したデータ管理画面を修正する場合、図７の画面Ｄ１１で、ユーザーはデータ管理画面作成・修正ボタンを押し、さらに図８に示す修正ボタンを押す。すると、「修正するデータ管理画面を選択して下さい。」のメッセージが表示される。ユーザーが修正したいデータ管理画面を選択して表示させたのち、新規作成の場合と同様の手順で、背景画像の修正、データアイコンの追加、貼り付け位置の修正、紐付けるデータの修正、削除、追加、さらにはブラックアイコンの設定・取り消し等ができるようになっている。
【００８１】
ユーザーが、作成したデータ管理画面を用いてデータ管理を行うには、データ管理アプリケーションを起動したのち、図７の初期画面Ｄ１１において、データ管理画面表示ボタンを押し、表示したい作成済みのデータ管理画面を選択すれば良い。
【００８２】
図１４は、データ管理装置１によって行われるデータ管理画面の作成・修正処理及び表示処理を示すフローチャートである。この処理は、データ管理装置１のＣＰＵ１１が記憶部１４等に格納されている動作プログラムに従って動作することにより実行される。
【００８３】
ステップＳ０１で、ＣＰＵ１１はユーザーによってデータ管理画面作成・修正ボタンが押されたかどうかを判断する。押されなかった場合は（ステップＳ０１でＮＯ）、データ管理画面の表示ボタンが押されているからステップＳ１１に進み、表示するデータ管理画面が選択されたかどうかを判断する。選択されていなければ（ステップＳ１１でＮＯ）、選択されるまで待つ。選択されると（ステップＳ１１でＹＥＳ）、ステップＳ１２で、選択されたデータ管理画面を表示装置１５に表示したのち、処理を終了する。
【００８４】
ステップＳ０１で、データ管理画面作成・修正ボタンが押された場合は（ステップＳ０１でＹＥＳ）、ステップＳ０２で作成ボタンが押されたかどうかを判断し、作成ボタンが押されていると（ステップＳ０２でＹＥＳ）、ステップＳ０３に進む。作成ボタンが押されていない場合は（ステップＳ０２でＮＯ）、修正ボタンが押されているから、ステップＳ１０で、修正する画面が選択されるのを待ち（ステップＳ１０でＮＯ）、選択されると（ステップＳ１０でＹＥＳ）、ステップＳ０３に進む。
【００８５】
ステップＳ０３では背景画像作成処理を実行した後、ステップＳ０４で決定ボタンが押されたかどうかを調べ、押されていない場合は（ステップＳ０４でＮＯ）、ステップＳ０９で終了ボタンが押されたかどうかを調べ、押されていない場合は（ステップＳ０９でＮＯ）、ステップＳ０３に戻る。終了ボタンが押された場合は（ステップＳ０９でＹＥＳ）、処理を終了する。
【００８６】
ステップＳ０４で決定ボタンが押された場合は（ステップＳ０４でＹＥＳ）、ステップＳ０５に進み、アイコン貼付け処理及びアイコンと情報との紐付け処理を実行した後、ステップＳ０６で終了ボタンが押されたかどうかを調べる。押されていなければ（ステップＳ０６でＮＯ）、ステップＳ０５に戻る。終了ボタンが押されていれば（ステップＳ０６でＹＥＳ）、ステップＳ０７で保存が指示されたかどうかを判断し、指示されていれば（ステップＳ０７でＹＥＳ）、ステップＳ０８でデータ管理画面の情報を記憶部１４等に保存した後、処理を終了する。ステップＳ０７で保存が指示されていなければ（ステップＳ０７でＮＯ）、そのまま処理を終了する。
【００８７】
以上、本発明の一実施形態を説明したが、本発明は上記実施形態に限定されることはない。例えば、データ管理画面が、オブジェクトアイコンとして発電装置、蓄電装置または電力計のうちの少なくともいずれかを含む配電系統画面や、被加熱流体を加熱装置により加熱して熱供給を行う熱供給システムにおける前記被加熱流体の流れを示す配管系統画面である場合を説明したが、これらの画面に限定されることはない。他のデータ管理画面として、管理対象オブジェクトが複数の工程である工程管理において、各工程をオブジェクトアイコンとして表示し、データアイコンとして各工程における処理状況を示す数値データの最新値を表示させる工程管理画面であっても良い。また、人体の各部をオブジェクトアイコンとして表示し、データアイコンには、血圧、血糖値、脈拍のように、ユーザーが表計算ソフトなどを用いて集計した値の最新値が表示されるように構成し、データアイコンを指定しあるいは開く操作が行われた場合に、血圧、血糖値、脈拍等の測定値の一覧リストを含む詳細データが表示されるようにしても良い。
【符号の説明】
【００８８】
１      データ管理装置
２      数値データ測定装置
３      ネットワーク
１１    ＣＰＵ
１２    ＲＯＭ
１４    記憶部
１５    表示装置
１０１〜１０９  オブジェクトアイコン
１２１〜１２６  データアイコン
２０１〜２１０  オブジェクトアイコン
２２１〜２５６  データアイコン
１３１、３０１〜３０５  ブラックアイコン
【図１】
0006725934.tif 000002
【図２】
0006725934.tif 000003
【図３】
0006725934.tif 000004
【図４】
0006725934.tif 000005
【図５】
0006725934.tif 000006
【図６】
0006725934.tif 000007
【図７】
0006725934.tif 000008
【図８】
0006725934.tif 000009
【図９】
0006725934.tif 000010
【図１０】
0006725934.tif 000011
【図１１】
0006725934.tif 000012
【図１２】
0006725934.tif 000013
【図１３】
0006725934.tif 000014
【図１４】
0006725934.tif 000015